(57)【要約】  本発明は、駆動部（１０）により空気式切換クラッチ（１２）を介して駆動可能なコンプレッサ（１４）と、前記クラッチの切替入力側（２０）へ圧縮空気を選択的に供給するためのマグネットコイルを備えたバルブ（１８）を有している、商用車のための圧縮空気供給装置に関している。本発明によれば、前記バルブ（１８）の開放時ないしは開放維持の際に、マグネットコイルにおいて、第１のフェーズ期間中に始動電流が通流され、第２のフェーズ期間中には前記始動電流よりも少ない保持電流が通流され、この場合前記第２のフェーズ中に当該保持電流を引き起こすドライバー信号がパルス幅変調されるように構成されることを特徴としている。
2009537393.tif 000002
【特許請求の範囲】
【請求項１】
駆動部（１０）により空気式切換クラッチ（１２）を介して駆動可能なコンプレッサ（１４）と、
前記クラッチの切替入力側（２０）へ圧縮空気を選択的に供給するためのマグネットコイルを備えたバルブ（１８）を有している、商用車のための圧縮空気供給装置において、
前記バルブ（１８）の開放時ないしは開放維持の際に、マグネットコイルにおいて、第１のフェーズ期間中に始動電流が通流され、
第２のフェーズ期間中には前記始動電流よりも少ない保持電流が通流され、この場合前記第２のフェーズ中に当該保持電流を引き起こすドライバー信号がパルス幅変調されるように構成されていることを特徴とする圧縮空気供給装置。
【請求項２】
第３のフェーズにおいて保持電流よりも大きな中間電流が通流される、請求項１記載の圧縮空気供給装置。
【請求項３】
前記バルブ（１８）はコンプレッサ（１４）への新気供給部（２２）の領域に配設されている、請求項１または２記載の圧縮空気供給装置。
【請求項４】
前記バルブ（１８）は前記クラッチ（１２）のケーシングに直接固定されている、請求項１から３いずれか１項記載の圧縮空気供給装置。
【請求項５】
前記バルブ（１８）は、内燃機関（１０）の通気装置によって生成され得る空気流の領域に配設されている、請求項１から４いずれか１項記載の圧縮空気供給装置。
【請求項６】
前記バルブ（１８）は電気的にパイロット制御可能な空気式バルブである、請求項１から５いずれか１項記載の圧縮空気供給装置。
【請求項７】
前記バルブの開放が、電気信号（１６）により、圧縮空気処理ユニット（２６，２８，３０）内の圧力に反応する圧力スイッチ（２４）によって引き起こされる、請求項１から６いずれか１項記載の圧縮空気供給装置。
【請求項８】
前記ドライバー信号は、圧力依存性の入力信号を受取る電子制御部（３２，３４，３６，３８）によって使用される、請求項１から７いずれか１項記載の圧縮空気供給装置。
【請求項９】
前記ドライバー信号は、温度依存性の入力信号を受取る電子制御部（３２，３４，３６，３８）によって使用される、請求項１から８いずれか１項記載の圧縮空気供給装置。
【請求項１０】
前記ドライバー信号は、クラッチの入力側回転数及び／又は出力側回転数に依存する入力信号を受取る電子制御部（３２，３４，３６，３８）によって使用される、請求項１から９いずれか１項記載の圧縮空気供給装置。
【請求項１１】
前記電子制御部（３２）は、圧縮空気処理ユニット（２６）に集積ないし統合されている、請求項８から１０いずれか１項記載の圧縮空気供給装置。
【請求項１２】
前記電子制御部（３６）は、インターフェースを介して圧縮空気供給装置（２８）内に集積された制御部（３４）と通信する、請求項８から１０いずれか１項記載の圧縮空気供給装置。
【請求項１３】
前記切替入力側（２０）にバルブ（１８）を介して供給される圧縮空気が逆止弁（４０，４２）を介して圧縮空気処理ユニット（２６，２８，３０）から取り入れられる、請求項１から１２いずれか１項記載の圧縮空気供給装置。
【請求項１４】
前記逆止弁（４２）は、圧縮空気処理ユニット（２６，２８，３０）内に集積ないし統合されている、請求項１３記載の圧縮空気供給装置。
【請求項１５】
請求項１から１４いずれか１項記載の圧縮空気供給装置を制御するための方法。
【請求項１６】
請求項１から１４いずれか１項記載の圧縮空気供給装置を備えていることを特徴とする商用車。
【発明の詳細な説明】
【技術分野】
【０００１】
本発明は、駆動部により空気式切換クラッチを介して駆動可能なコンプレッサと、クラッチの切替入力側へ圧縮空気を選択的に供給するためのマグネットコイルを備えたバルブを有している、商用車のための圧縮ないし圧搾空気供給装置に関している。
【背景技術】
【０００２】
商用車にとって圧縮空気供給装置は重要な意味合いを持つ。特に空気圧式で制動される商用車のブレーキシステムや多くのさらなる負荷、例えばエアーサスペンション装置、エアーアクスル装置などは圧縮空気を必要とする。圧縮空気供給装置から供給される分配すべき圧縮空気はコンプレッサによって供給されており、このコンプレッサは一般に商用車の内燃機関によって駆動されている。このことに関する普遍的な構想は次のようなことからなる。すなわちコンプレッサを空気式切替クラッチを介して内燃機関に連結させることである。その際には圧縮空気が空気圧によるクラッチの駆動制御のために圧縮空気供給装置から引き出される。この種の装置の一例として独国特許発明第３９２３８８２号明細書が挙げられる。
【０００３】
コンプレッサの作動はクラッチの切替えにより、例えばフィルタユニットの再生フェーズ期間中など必要に応じて中断できる。同様に内燃機関からのコンプレッサの結合解除も商用車のエネルギー管理に関して所期のように用いることが可能である。
【０００４】
しかしながら切替え可能なクラッチを用いる構想の実現は全ての観点において問題がないわけではない。特に内燃機関の領域において高温が支配的であるならば、切替え機構、すなわち特に空気式及び／又は電気式に駆動制御されるバルブはそれに応じた形式で設計仕様されていなければならず、このことは相応に高いコストに結び付く。
【０００５】
本発明の基礎となる課題は、低コストで特に機能性に富んだ構想に基づいて、電気式切替クラッチを備えた圧搾空気供給装置ないし圧縮空気供給装置を提供することである。
【０００６】
この課題は、請求項１の特徴部分に記載された本発明によって解決される。
【０００７】
本発明の有利な実施形態は従属請求項に記載されている。
【０００８】
本発明は冒頭に述べたような形式の圧搾ないし圧縮空気供給装置において、バルブの開放時ないしは開放維持の際に、マグネットコイルにおいて、第１のフェーズ中には始動電流が通流され、第２のフェーズ中には当該始動電流よりも少ない保持電流が通流され、この場合第２のフェーズにおいて当該保持電流を引き起こすドライバー信号がパルス幅変調されることに基づいて構成されている。このようにしてマグネットコイルの入力ないし消費電力がコントロールされて低減され、それによってコンプレッサと内燃機関の領域に存在する高温が良好に許容制御されるようになる。パルス幅変調された保持電流の振幅は始動電流の値よりも小さくてもよいし、コイルから放出される熱のさらなる低減は例えばデューティー比が５０％のパル幅変調によって行われてもよい。前記始動電流は例えば５０ｍｓの期間に亘って流れる。パルス幅変調される保持電流のフェーズ期間中のデューティー比は、例えば０．８〜４ｋＨｚであってもよい。
【０００９】
本発明によれば有利には、第３のフェーズにおいて保持電流よりも大きな中間電流が流される。この中間電流はバルブの開放状態を確実にするために用いられる。保持電流フェーズにおいてアーマチュアが遮蔽されたバルブ位置に相応する位置方向へ下がると、適切な中間電流パルスによってアーマチュアは再び完全に開放された位置に相応する位置へもたらされる。この中間電流は例えば、パルス長が例えば５０ｍｓである始動電流と同じ値を有するものであってもよい。
【００１０】
さらにバルブはコンプレッサへの新気供給の領域に配設してもよい。コンプレッサへの空気供給領域、つまりそのインテークマニホールドにおいては比較的低い温度しか発生せず、そのためバルブは特別な温度安定性の考慮なしで用いることができる。前記配置構成によって付加的に得られる利点は、バルブと切替え可能なクラッチとの間で非常に短い経路が得られ、このことはクラッチの切替え時間を短縮させる。このことは特に利点に関して、クラッチの頻繁な切替を生じさせる。
【００１１】
この関係においてはもちろんバルブをクラッチのケーシングに直接固定してもよい。バルブをクラッチケーシングへ直接取付けることによってバルブとクラッチの間のあらゆる線路が省かれる。これにより導体路の破断が排除され、さらにクラッチに対する短い切替え時間も保証される。
【００１２】
さらに有利には温度特性に関してもバルブが内燃機関の換気ないし通気によって生じ得る空気流の存在する領域に配置され得る。このようにしてバルブは付加的に冷却される。特に内燃機関の温度を必要としない場合であっても車両電子系の有効利用のもとで内燃機関の通気ないし換気が切替られる。従って換気は主にバルブの冷却に用いられる。マグネットコイル温度を低減させるさらなる手段によれば、マグネットコイルからバルブケーシングへの良好な熱伝導が、バルブを通過する冷却チャネル（これは特にコンプレッサの吸入空気を導く）か及び／又はバルブケーシングにおける冷却フィンによってなされる。
【００１３】
前記バルブは有利には電気的に事前制御可能な空気式バルブであってもよい。そのようなバルブは大量に得ることのできる空気流量に基づいてクラッチの切替え機構における迅速な圧力形成が可能である。そのためこの手段はスイッチング速度を高める。その他にも電気で直接制御されるバルブに比べて同じ切替え能力のもとではより少ない電力しか必要ない。
【００１４】
本発明による圧縮空気供給装置は例えばバルブの開放が、圧縮空気処理ユニット内の圧力に反応する圧力スイッチによって電気信号により引き起こされるように設計されてもよい。内燃機関とコンプレッサの連結解除に対する理由は圧縮空気処理ユニット内部ないし負荷接続領域における十分な圧力の存在にある。従って有利にはこれらの圧力が電気信号に変換される。この信号は再び内燃機関とコンプレッサの連結解除に作用する。さらなる電気的若しくは電子的構成部材の介入のもとで、圧力スイッチから形成された信号に基づいてマグネットコイルを駆動制御するためのドライバー信号が生成される。
【００１５】
この関係において有利には、このドライバー信号が圧力依存性の入力信号を受取る電子制御部によって使用される。それにより、圧力スイッチの信号はまず電子制御部に供給され、その後で場合によってはこの信号がバルブのために送出される。このことは次のような利点となる。すなわち商用車内に存在する他のパラメータがクラッチの切替え過程に関連して考慮されるようになる利点である。
【００１６】
例えば、電気的なドライバー信号が温度依存性の入力信号を受取る電子制御部によって処理されるようにしてもよい。それにより高温時にコンプレッサを内燃機関から切り離すために、コンプレッサ領域の温度が測定される。
【００１７】
同様に、電気的なドライバー信号が、クラッチの入力側回転数及び／又は出力側回転数に依存する入力信号を受取る電子制御部によって処理されるようにしてもよい。この場合には例えばエラー診断に関連してクラッチ領域の回転数の監視も有利になり得る。
【００１８】
本発明の特に有利な実施形態によれば、前記電子制御部が圧縮空気処理ユニット内に集積されている。このことは実際においては次のようにして実現可能である。すなわち圧縮空気処理ユニットの従来の電子制御部においてクラッチ制御の機能性を拡張することで実現可能である。
【００１９】
しかしながら前記電子制御部はインターフェースを介して、圧縮空気処理ユニット内に集積されている制御部と通信させることも考えられる。この基本構想に基づけば従来の圧縮空気処理ユニットの電子制御部を十分に不変のまま維持することができ、クラッチに対する切替え機能も外部から得ることができる。
【００２０】
本発明の特に有利な実施形態によれば、切替入力側にバルブを介して供給される圧縮圧力処理ユニットの圧縮空気が逆止弁を介して取出される。空気式バルブにおける高い切替え速度を保証するために、空気式バルブへのリード線路が有利には所期の圧力レベルに保持される。それと共にバルブの開放の際には直ぐに十分な圧力が準備され、この圧力はクラッチまでの短い管路を介してクラッチの切替えを迅速に作用せしめる。クラッチを切替えるための圧縮空気は有利には他の負荷へも圧縮空気を供給する圧縮空気処理ユニットから取出されるので、換気ないし通気過程中の十分な圧力レベルは空気式バルブに接続する管路内において頻繁に付加的圧力蓄積容器によって保証されている。このことは、切替入力側にバルブを介して供給される圧縮空気が逆止弁を介して取出されるならば、不要となる。というのもこの逆止弁が圧縮空気処理ユニットとそれに接続されている負荷の領域内の作用に基づいて圧力供給管路内の圧力形成を阻止するからである。
【００２１】
別の有利な実施形態によれば、この逆止弁が圧縮空気処理ユニットに統合されるようにしてもよい。圧縮空気処理ユニットの主要構成部分は少なくとも１つの回路保護装置を有するバルブケーシングである。このケーシングは単に構造的な課題の克服によってさらなる逆止弁の包含を容易に可能にする。同じように逆止弁の外部への配置も考えられる。
【００２２】
さらに本発明は本発明による圧縮空気処理ユニットの制御方法に関しており、また本発明による圧縮空気処理ユニットを備えた商用車に関している。
【００２３】
以下では本発明を添付図面に関連して有利な例示的実施形態に基づいて説明する。
【図面の簡単な説明】
【００２４】
【図１】本発明による圧縮空気処理ユニットを概略的に示した図
【図２】本発明によるさらなる圧縮空気処理ユニットを概略的に示した図
【図３】本発明による別の圧縮空気処理ユニットを概略的に示した図
【図４】クラッチを制御するバルブの開放ないし開放維持のための典型的な通流経過を表した図
【発明を実施するための形態】
【００２５】
以下の説明においては同じ若しくは同等の構成要素には同じ符号が用いられる。
【００２６】
図１は本発明による圧縮空気処理ユニットを概略的に示した図である。ここでは圧縮空気処理ユニットが符号２６で表されている。この圧縮空気処理ユニットを用いて圧縮空気がフィルタリングされて種々異なる圧縮空気負荷へ分配されている。さらに入力ポート４４が設けられており、この入力ポートは前記圧縮空気処理ユニット２６の外部に設けられているコンプレッサ１４と接続されている。前記入力ポート４４に並行するように外部充填ポート４６も設けられている。前記２つの入力側４４，４６に供給される圧縮空気は、フィルタユニット４８と、そこからさらに逆止弁５０を介してメイン供給管路５２に供給される。このメイン供給管路５２には２つの溢出弁５４，５６が並行に配設されており、商用車の常用ブレーキ回路用ポート５８，６０を介して圧縮空気が供給されている。さらに前記溢出弁５４，５６に対して並行にそれぞれ１つのスロットル６２，６４とそれぞれ１つの逆止弁６６，６８が配設されており、この本発明による実施形態によれば、溢出弁５４，５６を通る通流に並行する、メイン供給管路５２から前記常用ブレーキ回路用ポート５８，６０への通流も可能になっている。これにより特にシステムの新たな充填の際にメイン供給管路５２内の圧力が低い場合であっても常用ブレーキ回路容器の早期の充填が行われる。同様に、逆止弁をこの新たな充填の利点なしで逆方向に設けることも可能である。これにより別の負荷の常用ブレーキ回路容器からの後からの充填が可能となる。メイン供給管路５２内にはさらに圧力リミッタ７０が設けられている。安全弁７０の圧力制限側には、２つのさらなる管路が並行して分岐されており、この場合一方の管路を通って溢出弁７２と逆止弁７４を介して固定ブレーキ及び付随車ブレーキ用ポート７６に供給がなされている。他の管路は逆止弁４２と溢出弁７８を介してポート８０に供給しており、このポート８０はコンプレッサクラッチ１２の操作のために設けられている。溢出弁７８の後方にはさらなる溢出弁８２が分岐管路内に配置されており、この溢出弁８２を介してさらなる別の負荷用のポート８４が供給を受けている。
【００２７】
電子制御部３２によって複数の圧力センサ８６，８８，９０，９２が接続形成されており、この場合圧力センサ８８は常用ブレーキ用ポート５８における圧力を測定し、圧力センサ９０は常用ブレーキ用ポート６０における圧力を測定し、圧力センサ９２は固定ブレーキと付随車用ブレーキのポート７６に対する溢出弁７２の後方の圧力を測定している。前記電子制御部３２はさらに温度センサ９４とヒーター９６の接続を形成している。さらにこの電子制御部３２には３つの電磁弁９８，１００，１０２が接続されており、詳細には圧力制御用電磁弁９８，回生用電磁弁１００，溢出弁７２の圧力制御用電磁弁１０２である。電磁弁９８，１００，１０２は、３／２方弁として設計され、これらは全て無通流状態で閉じられる。閉じられた状態ではメイン供給管路５２の圧力は電磁弁９８，１００，１０２の入力側に停滞する。回生過程の開始時点では、回生用電磁弁１００と圧力制御用電磁弁９８に通電する必要があり、それによってそれらの電磁弁では図には示されていない状態へ移行する。この結果として常用ブレーキ容器にはメイン供給管路５２を介して乾いた圧縮空気が取り入れられ、それらは逆止弁５０の迂回のもとで、下位西洋電磁弁１００とさらなる逆止弁１０４とスロットル１０６とフィルタユニット４８を介して逆方向に通流する。これは圧力制御用電磁弁９８の切替えに基づいて図には示されていない切換え位置に切換えられたドレン弁１０６が排出ポート１０８につながり、そこから大気中へ放出されるようにするためである。圧縮空気処理ユニット２６の外部には既に前述したコンプレッサ１４と内燃機関１０と、当該内燃機関１０と前記コンプレッサ１４に接続される切替え可能なクラッチ１２とが示されている。コンプレッサ１４は吸気ダクトないし新気供給部２２を有しており、それを介して圧縮すべき空気が吸気されている。この新気供給部の領域には３／２方弁１８が設けられており、この弁は本願の実施形態によれば、別個に示されているように、電気的にパイロット制御可能な空気式バルブとして設計されている。この空気式バルブ１８は入力ポート１１０を有しており、この入力ポート１１０にはクラッチ用ポート８０に接続された管路１１２が接続されている。この管路１１２内には逆止弁４０が設けられており、この逆止弁４０はクラッチ用ポート８０から前記バルブ１８への通流を可能にし、かつ逆方向の通流は阻止している。前記バルブ１８はさらに出力側ポートを有しており、該出力側ポートは管路１１６を介してクラッチ１２の切替え入力側２０に結合される。さらに前記バルブ１８は、電気的な入力側１１８を介した信号１６の供給のために、圧縮空気処理ユニット２６の電子制御部３２と、アース（このアースは中央プラグ１２０にタップされている）に接続されている。
【００２８】
図１による圧縮空気処理ユニットは以下に述べるように切替え可能なクラッチ１２に関連して動作する。圧力制御されていない状態で閉成されるクラッチ１２を開放するためには（例えば前述した回生モードなどの場合）、電子制御部３２は出力信号１６を電気的にパイロット制御される空気式バルブ１８に送出する。それにより前記バルブ１８は開放され、そのようにして圧縮空気処理ユニット２６のクラッチ用ポート８０とクラッチ１２の切り替え入力側２０の間の接続が形成される。切替え入力側２０の換気ないし通気によってクラッチ１２は開放され、さらにコンプレッサ１４が停止される。そのために必要なバルブ１８の開放は、高い吸引電流と、それよりも低いパルス幅変調された保持電流によって行われる。保持電流フェーズ中は中間パルスが供給される。この中間パルスは場合により下げられたアーマチュアを再びその終端位置へもたらすものである。クラッチ１２の閉成に対しては電気的な入力側１１８の通電が再び遮断され、それによって切替入力側２０が通気される。逆止弁４０，４２により短い切替時間が保証される。逆止弁４２は、圧縮空気が管路１１２から、常用ブレーキ用ポート５８，６０及び固定ブレーキ／付随車用ポートへ分岐する方向へ逆流するのを阻止している。逆止弁４０はさらに前記管路１１２から別の負荷用ポート８４への逆流を防いでいる。切替時間に関する要求とユニットの設計仕様に応じて前記逆止弁４０，４２のうちの１つで十分になる場合もある。それによって前記逆止弁４０，４２は吸入管路１１２において常に所期の圧力レベルを維持することができ、これにより前記バルブ１８の切替の際にコンプレッサ１４の切替入力側２０における迅速な圧力形成が保証される。前記管路１１２の領域における付加的な貯蔵容器は不要となる（このような容器によってもそのような圧力レベルの維持が保証され得る）。また前記クラッチ用ポート８０と逆止弁４０の間には、さらなる負荷、例えば排ガス清浄装置、エンジンブレーキ装置及び／又は変速機制御装置などが接続されてもよい。
【００２９】
図２は本発明によるさらに別の圧縮空気処理ユニットを概略的に示した図である。図２による実施形態の特性の多くは図１による実施形態と同じである。また例えば電気的にパイロット制御可能な空気式バルブ１８のコンプレッサ１４の吸気ダクト領域における有利な配置構成もここには図示されていないが可能である。また図１による実施形態とは異なって図２による実施形態では、圧縮空気処理ユニット２８の電子制御部３４に対してさらに付加的に外部制御部３６が設けられている。この外部制御部３６は、前記内部制御部３４と、インターフェース１２２を介して（これは有利には中央プラグ１２０によって得られる）通信するのに適している。同様にその他の車両構成要素に対するインターフェース１２４も設けられており、これは例えばＣＡＮバスを介して車両誘導装置用コンピュータに対するインターフェースであってもよい。前記インターフェース１２２，１２４は構造的に統合されていてもよい。図２ではさらに、回転数センサ１２６がクラッチ１２の入力側に配置され、またさらなる回転数センサ１２８がクラッチ１２の出力側に配置され得る。さらに温度センサ１３０がコンプレッサ１４に設けられている。前記センサ１２６，１２８，１３０の信号は外部制御部３６に供給され、そこでバルブの駆動制御に関連して考慮される。あるいはその他の形式で利用されてもよい。例えば機能監視及び／又は初期の形態若しくは処理された形態に関連してインターフェース１２２，１２４を介して転送されてもよい。
【００３０】
回転数と温度の有用な検出は、たとえそれが図に示されていないものであっても、図１による実施形態との関連において行われるものであってもよい。その場合には相応のデータが圧縮空気処理ユニット２６の内部制御部３２に供給される。
【００３１】
図３は本発明による圧縮空気処理ユニットの別の概略図である。ここに示されている圧縮空気処理ユニットは分散配置された複数の個別構成ユニットの形態で示されている。特にここでは、載置されたフィルタユニット４８を有する圧力制御器１３０と、マルチ回路保護バルブ１３２と、安全弁１３４，１３６と電子制御部３８とが示されている。これらの構成要素は実際においても図示のように分散され得る。但しそのような分散された描写は機能上の分散配置という意味で理解されてもよい。その場合には例えば図１と図２に関連して示されるように実際の圧力制御器、マルチ回路保護バルブ、安全バルブ（リリーフバルブ）及び／又は電子制御部が統合される形態で実現されてもよい。
【００３２】
図３による実施形態ではコンプレッサ１４が切替クラッチ１２を介して内燃機関１０と結合される。このコンプレッサ１４は圧縮空気を圧力制御器１３０に供給し、そこからこの圧縮空気がマルチ回路保護バルブ１３２に転送される。このマルチ回路保護バルブ１３２は圧縮空気を容器１３８，１４０と、その他のポートに分配する。これらのポートのうちの１つはリリーフバルブ１３６を具備するポートとして示されている。さらなるポートはクラッチ用ポート８０であり、これもリリーフバルブ１３４を介して供給される。クラッチ用ポート８０からは切替時間を保証する逆止弁４０を介して圧縮圧力が電気的にパイロット制御される空気式バルブ１８に供給される。バルブ１８の駆動制御は電子制御部３８によって行われる。この電子制御部３８はインターフェース１２４を介して内燃機関ないしエンジン制御部との通信を行っている。電子制御部３８は複数の入力側１４２，１４４，１４６を有している。入力側１４２，１４４は当該制御部３８に温度、圧力及び／又は回転数情報を供給する手段として表され、例えば常用ブレーキ回路の圧力センサ８８，９０によって測定されるか、及び／又は回転数センサ８８，９０によって測定されるか、及び／又はクラッチ１２の入力側と出力側における回転数センサ１２６，１２８によって測定される。前記圧力制御器１３０には圧力スイッチ２４が設けられている。これは電子制御部３８の入力側１４６と接続形成される。それによりこの電子制御部３８には圧力に依存した電気信号が供給される。
【００３３】
図３による圧縮空気処理ユニットは以下のように動作する。電子制御部３８は、入力側１４２，１４４，１４６及びインターフェース１２４を介して得られた情報に基づいて電気信号１６をバルブ１８に供給する。それによりこのバルブ１８は切替えられ、クラッチ１２が切替入力側２０の通気に基づいて開放される。信号１６の送出の決定は、複数のセンサによって測定された圧力、温度、又は回転数がクラッチ１２の開放に求められることに基づいて行われてもよい。これに平行してクラッチの開放は、圧力スイッチ２４から送出された信号に基づいて行われるものであってもよい。図３に示されている実施形態の構成要素が欠陥を被り、それによって例えば常用ブレーキ回路内の圧力レベルがもはや確実に測定出来なくなった場合でも、圧力スイッチ２４とこのスイッチによって可能になる切替機能の混在によってクラッチ１２の開放が行われる。このことはそれらの前述した欠陥に基づく障害を防止する。
【００３４】
図４には、クラッチを駆動制御するバルブの開放ないし開放維持のための典型的な通流経過が示されている。このダイヤグラムにはコイルを流れる電流Ｉが時間ｔに亘ってプロットされている。時点ｔ０ではこのコイルが電流強度ＩAの始動パルス（Anzugsimpulse)の供給によって開かれる。時点ｔ１からは、保持電流フェーズに入り、この場合ここでは振幅ＩLを有している例示的に５０％のデューティー比で示されている個別の電流パルスが供給されている。時点ｔ２では中間パルスが使用される。このパルスも例えばマグネットコイルを流れる電流強度ＩAの電流通流となり得る。時点ｔ３での当該中間パルスの終端には、再びパルス幅変調された保持電流フェーズが続く。前記パルス幅変調により、コイルを流れる時間的に平均化された電流通流が保持電流振幅ＩLとして再び低くなる。前記始動電流と中間パルスの持続時間は例えば５０ｍｓの範囲にあり得る。パルス幅変調の周波数は例えば０．８〜４ｋＨｚの領域にある。ここではクラッチを駆動制御するバルブ領域における温度を低下させる保持電流の低減の他に、温度特性を支援するさらなる手段も使用可能である。例えば保持電流フェーズ中に内燃機関のクーリングファンをスイッチオンさせてもよい。さらにバルブ自体の設計仕様とそれのコンプレッサ領域ないしはクラッチ領域内の配置構成とによって有利な温度効果が得られる。例えば電磁弁が熱的に良好にバルブケーシングに結合されてもよいし、このバルブケーシングは冷却フィンを備えていてもよい。またバルブケーシングは冷却用開口部を有していてもよい。この開口部は有利にはコンプレッサの吸入空気、つまり頻繁に冷えた新気を通流させる。さらに前記バルブはコンプレッサの吸気ダクトの領域に配置してもよい。それにより外部からの新気が通流される。
【００３５】
前述した明細書、図面並びに特許請求の範囲において開示される本発明の特徴は本発明の実現に対しては個別の形式でもあるいは任意の組合わせでも存在し得るものである。
【符号の説明】
【００３６】
１０      駆動部
１２      クラッチ
１４      コンプレッサ
１６      信号
１８      バルブ
２０      切替入力側
２２      新気供給部（吸気ダクト）
２４      圧力スイッチ
２６      圧縮空気処理ユニット
２８      圧縮空気処理ユニット
３０      圧縮空気処理ユニット
３２      電子制御部
３４      電子制御部
３６      電子制御部
３８      電子制御部
４０      逆止弁（チェックバルブ）
４２      逆止弁
４４      入力ポート
４６      外部充填ポート
４８      フィルタユニット
５０      逆止弁
５２      メイン供給管路
５４      溢出弁（オーバーフローバルブ）
５６      溢出弁
５８      常用ブレーキ回路用ポート
６０      常用ブレーキ回路用ポート
６２      スロットル
６４      スロットル
６６      逆止弁
６８      逆止弁
７０      安全弁（リリーフバルブ）
７２      溢出弁
７４      溢出弁
７６      固定ブレーキ／付随車ブレーキ用ポート
７８      溢出弁
８０      コンプレッサクラッチ用ポート
８２      溢出弁
８４      さらなる負荷用ポート
８６      圧力センサ
８８      圧力センサ
９０      圧力センサ
９２      圧力センサ
９４      温度センサ
９６      ヒーター
９８      電磁弁
１００    電磁弁
１０２    電磁弁
１０４    逆止弁
１０６    ドレン弁
１０８    排出部
１１０    入力ポート
１１２    管路
１１４    出力ポート
１１５    管路
１１８    電気的入力側
１２０    中央プラグ
１２２    インターフェース
１２４    インターフェース
１２６    回転数センサ
１２８    回転数センサ
１３０    圧力制御器
１３２    マルチ回路保護弁
１３４    安全弁
１３６    安全弁
１３８    容器
１４０    容器
１４２    入力側
１４４    入力側
１４６    入力側
【図１】
2009537393.tif 000003
【図２】
2009537393.tif 000004
【図３】
2009537393.tif 000005
【図４】
2009537393.tif 000006
【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
駆動部（１０）により空気式切換クラッチ（１２）を介して駆動可能なコンプレッサ（１４）と、
前記クラッチの切替入力側（２０）へ圧縮空気を選択的に供給するためのマグネットコイルを備えたバルブ（１８）を有している、商用車のための圧縮空気供給装置において、
前記バルブ（１８）の開放時ないしは開放維持の際に、マグネットコイルにおいて、第１のフェーズ期間中に始動電流が通流され、
第２のフェーズ期間中には前記始動電流よりも少ない保持電流が通流され、この場合前記第２のフェーズ中に当該保持電流を引き起こすドライバー信号がパルス幅変調され、さらに、
前記バルブ（１８）はコンプレッサ（１４）への新気供給部（２２）の領域に配設されていることを特徴とする圧縮空気供給装置。
【請求項２】
第３のフェーズにおいて保持電流よりも大きな中間電流が通流される、請求項１記載の圧縮空気供給装置。
【請求項３】
前記バルブ（１８）は前記クラッチ（１２）のケーシングに直接固定されている、請求項１又は２記載の圧縮空気供給装置。
【請求項４】
前記バルブ（１８）は、内燃機関（１０）の通気装置によって生成され得る空気流の領域に配設されている、請求項１から３いずれか１項記載の圧縮空気供給装置。
【請求項５】
前記バルブ（１８）は電気的にパイロット制御可能な空気式バルブである、請求項１から４いずれか１項記載の圧縮空気供給装置。
【請求項６】
前記バルブの開放が、電気信号（１６）により、圧縮空気処理ユニット（２６，２８，３０）内の圧力に反応する圧力スイッチ（２４）によって引き起こされる、請求項１から５いずれか１項記載の圧縮空気供給装置。
【請求項７】
前記ドライバー信号は、圧力依存性の入力信号を受取る電子制御部（３２，３４，３６，３８）によって使用される、請求項１から６いずれか１項記載の圧縮空気供給装置。
【請求項８】
前記ドライバー信号は、温度依存性の入力信号を受取る電子制御部（３２，３４，３６，３８）によって使用される、請求項１から７いずれか１項記載の圧縮空気供給装置。
【請求項９】
前記ドライバー信号は、クラッチの入力側回転数及び／又は出力側回転数に依存する入力信号を受取る電子制御部（３２，３４，３６，３８）によって使用される、請求項１から８いずれか１項記載の圧縮空気供給装置。
【請求項１０】
前記電子制御部（３２）は、圧縮空気処理ユニット（２６）に集積ないし統合されている、請求項７から９いずれか１項記載の圧縮空気供給装置。
【請求項１１】
前記電子制御部（３６）は、インターフェースを介して圧縮空気供給装置（２８）内に集積された制御部（３４）と通信する、請求項７から９いずれか１項記載の圧縮空気供給装置。
【請求項１２】
前記切替入力側（２０）にバルブ（１８）を介して供給される圧縮空気が逆止弁（４０，４２）を介して圧縮空気処理ユニット（２６，２８，３０）から取り入れられる、請求項１から１１いずれか１項記載の圧縮空気供給装置。
【請求項１３】
前記逆止弁（４２）は、圧縮空気処理ユニット（２６，２８，３０）内に集積ないし統合されている、請求項１２記載の圧縮空気供給装置。
【請求項１４】
請求項１から１３いずれか１項記載の圧縮空気供給装置を制御するための方法。
【請求項１５】
請求項１から１３いずれか１項記載の圧縮空気供給装置を備えていることを特徴とする商用車。
【国際調査報告】
2009537393.tif 000007
2009537393.tif 000008
2009537393.tif 000009
2009537393.tif 000010
2009537393.tif 000011
2009537393.tif 000012